(57)【要約】  【課題】比較的保形性の低いテープであっても快適な操作で好適に繰り出すことができるテープディスペンサを提供する。  【解決手段】テープｄ１を巻回したテープコアを保持する第一部材Ａと、第一部材Ａに対して相対的に回動可能な第二部材Ｂと、第二部材Ｂを第一部材Ａに対して相対回動させることでテープｄ１を外方に繰り出しさせるテープ引出し部とを備えたテープディスペンサであって、テープ引出し部は、第二部材Ｂの第一部材Ａに対する相対回動に連動させてテープｄ１を挟持しつつテープコアから引き出して外方に送り出すもので、その相対回動時に第二部材Ｂの視認可能な特定部位Ｉがテープｄ１の繰り出し方向と同方向に動くように構成されている。【選択図】図１
2020070112.tif 000002
【特許請求の範囲】
【請求項１】
テープを巻回したテープコアを保持する第一部材と、この第一部材に対して相対的に回動可能な第二部材と、この第二部材を前記第一部材に対して相対回動させることで前記テープを外方に繰り出しさせるテープ引出し部とを備えたテープディスペンサであって、
前記テープ引出し部は、前記第二部材の前記第一部材に対する相対回動に連動させて前記テープを挟持しつつ前記テープコアから引き出して外方に送り出すもので、その相対回動時に前記第二部材の視認可能な特定部位が前記テープの繰り出し方向と同方向に動くように構成されているテープディスペンサ。
【請求項２】
前記テープ引出し部は、前記第一部材に設けられている請求項１記載のテープディスペンサ。
【請求項３】
前記第一部材は、前記テープコアを回転可能に保持するコア軸を備えている請求項１又は２記載のテープディスペンサ。
【請求項４】
前記コア軸の軸心は、前記第一部材と前記第二部材の相対回転中心から偏移した位置に配されている請求項３記載のテープディスペンサ。
【請求項５】
前記テープ引出し部は、前記第二部材の前記第一部材に対する相対回動に伴ってテープ繰り出し方向に回転する繰出ローラーと、この繰出ローラーに前記テープを押し付けて挟持状態を維持する挟圧部材とを備えたものである請求項１、２、３又は４記載のテープディスペンサ。
【請求項６】
前記テープ引出し部は、前記繰出ローラーの外側に当該繰出ローラーと同一方向に連動回転する巻き込み防止ローラーを配したものである請求項５記載のテープディスペンサ。
【請求項７】
前記第一部材は、円筒体状のものであり、この第一部材の一側面に当該第一部材と略同径をなす円盤状の第二部材が添設されており、前記第一部材の周面に前記テープを外方に繰り出すための開口が開設されている請求項１、２、３、４、５又は６記載のテープディスペンサ。
【発明の詳細な説明】
【技術分野】
【０００１】
本発明は、テープを繰り出し可能なテープディスペンサに関する。
【背景技術】
【０００２】
従来から、本体の一部を回転させて内部に収容されたテープを繰り出し得るテープディスペンサが知られている（例えば、特許文献１を参照）。
【０００３】
ところが、引用文献１に係る構成のものは、比較的保形性の高いテープを繰り出す場合には極めて有用であるものの、例えば、セロハンテープやマスキングテープのような比較的保形性の低いテープを取り扱う場合には、テープを外部に繰り出し難い場合があり、更なる改良が望まれている。
【先行技術文献】
【特許文献】
【０００４】
【特許文献１】特開２０１６−２２２３９３号公報
【発明の概要】
【発明が解決しようとする課題】
【０００５】
本発明は、以上のような事情に着目してなされたものであり、比較的保形性の低いテープであっても快適な操作で適切に繰り出すことができるテープディスペンサを提供することにある。
【課題を解決するための手段】
【０００６】
すなわち、本発明は次の構成をなしている。
【０００７】
請求項１に記載の発明は、テープを巻回したテープコアを保持する第一部材と、この第一部材に対して相対的に回動可能な第二部材と、この第二部材を前記第一部材に対して相対回動させることで前記テープを外方に繰り出しさせるテープ引出し部とを備えたテープディスペンサであって、前記テープ引出し部は、前記第二部材の前記第一部材に対する相対回動に連動させて前記テープを挟持しつつ前記テープコアから引き出して外方に送り出すもので、その相対回動時に前記第二部材の視認可能な特定部位が前記テープの繰り出し方向と同方向に動くように構成されているテープディスペンサである。
【０００８】
請求項２に記載の発明は、前記テープ引出し部は、前記第一部材に設けられている請求項１記載のテープディスペンサである。
【０００９】
請求項３に記載の発明は、前記第一部材は、前記テープコアを回転可能に保持するコア軸を備えている請求項１又は２記載のテープディスペンサである。
【００１０】
請求項４に記載の発明は、前記コア軸の軸心は、前記第一部材と前記第二部材の相対回転中心から偏移した位置に配されている請求項３記載のテープディスペンサである。
【００１１】
請求項５に記載の発明は、前記テープ引出し部は、前記第二部材の前記第一部材に対する相対回動に伴ってテープ繰り出し方向に回転する繰出ローラーと、この繰出ローラーに前記テープを押し付けて挟持状態を維持する挟圧部材とを備えたものである請求項１、２、３又は４記載のテープディスペンサである。
【００１２】
請求項６に記載の発明は、前記テープ引出し部は、前記繰出ローラーの外側に当該繰出ローラーと同一方向に連動回転する巻き込み防止ローラーを配したものである請求項５記載のテープディスペンサである。
【００１３】
請求項７に記載の発明は、前記第一部材は、円筒体状のものであり、この第一部材の一側面に当該第一部材と略同径をなす円盤状の第二部材が添設されており、前記第一部材の周面に前記テープを外方に繰り出すための開口が開設されている請求項１、２、３、４、５又は６記載のテープディスペンサである。
【発明の効果】
【００１４】
以上説明したように本発明によれば、比較的保形性の低いテープであっても快適な操作で適切に繰り出すことができるテープディスペンサを提供することができる。
【図面の簡単な説明】
【００１５】
【図１】本発明の一実施形態を示す斜視図。
【図２】同実施形態における側面図。
【図３】同実施形態における分解斜視図。
【図４】同実施形態における斜視図。
【図５】同実施形態における側面図。
【図６】同実施形態における側面図。
【図７】同実施形態における斜視図。
【図８】同実施形態における部品説明図。
【図９】同実施形態における部品説明図。
【図１０】同実施形態における部品説明図。
【図１１】同実施形態における斜視図。
【発明を実施するための形態】
【００１６】
以下、本発明の一実施形態を、図１〜１１を参照して説明する。
【００１７】
この実施形態は、本発明を、セロハンテープやマスキングテープ等の比較的保形性の低いテープｄ１を内部に収容し当該テープｄ１を外部に繰り出すことができるように構成されたテープディスペンサに適用したものである。
【００１８】
テープディスペンサは、リフィルＤすなわちテープｄ１を巻回したテープコアｄ２を保持する第一部材Ａと、第一部材Ａに対して相対的に回動可能な第二部材Ｂと、第二部材Ｂを第一部材Ａに対して相対回動させることでテープｄ１を外方に繰り出しさせるテープ引出し部Ｃとを備えている。
【００１９】
以下、テープディスペンサについて詳述する。
【００２０】
第一部材Ａは、円筒体状の外形をなしたものである。より具体的に言えば、第一部材Ａは、略円筒状をなす周面の両側を円形状の側面により閉塞した外形をなしている。第一部材Ａの一側面すなわちベース１における側板ａ１の外面側には、使用者が直接的に回動操作し得る操作部を構成し当該第一部材Ａと略同径をなす円盤状の第二部材Ｂが添設されている。第一部材Ａの周面には、第一部材Ａの内部に収容されたテープｄ１を外方に繰り出すための開口Ｇが開設されている。
【００２１】
第一部材Ａは、テープコアｄ２を保持するベース１と、ベース１に着脱可能に装着されるカバー２とを備えたものである。
【００２２】
ベース１は、テープコアｄ２を回転可能に保持するコア軸ａ３を備えている。ベース１の側板ａ１に対して略垂直に立設されたコア軸ａ３の軸心は、第一部材Ａと第二部材Ｂの相対回転中心から偏移した位置すなわち第一部材Ａの連結軸ａ２及び第二部材Ｂの連結孔ｂ１と合致しない位置に配されている。この実施形態では、コア軸ａ３は、連結軸ａ２よりも開口Ｇから離れた位置に立設されている。
【００２３】
なお、テープコアｄ２は、テープｄ１が巻装された状態でリフィルＤを構成するものである。テープコアｄ２は、コア軸ａ３が挿通される円筒部ｄ３と、円筒部ｄ３の両縁部から延設された略ドーナツ形状をなす鍔部ｄ４とを備えたものである。テープｄ１は、円筒部ｄ３の外周面に巻きつけられる既知の構成のものであり、一面側に図示しない粘着層が設けられた帯状のものである。
【００２４】
ベース１の中心部には外面側すなわち第二部材Ｂ側に向かって連結軸ａ２が突設されている。連結軸ａ２は、第二部材Ｂの中心部に設けられた連結孔ｂ１と係合する。つまり、第一部材Ａのベース１に設けられた連結軸ａ２と第二部材Ｂに設けられた連結孔ｂ１とが係わり合い、第一部材Ａに対して第二部材Ｂが連結した状態で相対回転し得るように構成されている。
【００２５】
ベース１は、円形をなす側板ａ１と、側板ａ１の中心から偏移した位置すなわち第一部材Ａと第二部材Ｂの相対回転中心から偏移した側板ａ１の内面に突設されたコア軸ａ３を備えている。側板ａ１の外面側には、第二部材Ｂに設けたギアである第一ギアｍ１が収容される凹陥部ａ１１が形成されている。また、側板ａ１に設けた凹陥部ａ１１の一部には、連通孔ａ１２が形成されている。この連通孔ａ１２を通じて、第二部材Ｂに形成された第一ギアｍ１と第一部材Ａにおける側板ａ１の内面側に配された中間ギアである第二ギアｍ２とが噛合し得るようになっている。
【００２６】
また、ベース１は、側板ａ１の周縁から突出させた周面の一部を形成する一対のカバー係合片５３と、開口Ｇが形成される側板ａ１の周縁部近傍に突設され繰出ローラー４を回動可能に支持し得る繰出ローラー支持軸ａ５と、開口Ｇが形成される側板ａ１の周縁部近傍に突設され繰出ローラー４を押圧し得る挟圧部材５を回動可能に支持し得る挟圧部材支持軸ａ６と、挟圧部材支持軸ａ６に隣接する位置に突設され挟圧部材５の基端部に設けた係合片５３と係合し、挟圧部材５を、繰出ローラー４を押圧し得る押圧姿勢（Ｊ）又は繰出ローラー４から離間した離間姿勢（Ｋ）に保持させる姿勢保持突起ａ７を備えている。
【００２７】
さらに、ベース１は、繰出ローラー支持軸ａ５よりも側板ａ１の周縁部に近い位置に突設され巻き込み防止ローラー６を回動可能に支持し得る巻き込み防止ローラー支持軸ａ８と、繰出ローラー支持軸ａ５及び巻き込み防止ローラー支持軸ａ８に隣接した位置に突設され第二部材Ｂに設けた第一ギアｍ１と噛合する第二ギアｍ２を回動可能に支持し得る第二ギア支持軸ａ９と、第二ギアｍ２と噛合する第五ギアｍ５を有するピニオン８を回転可能に支持するピニオン支持軸ａ１０とを備えている。ピニオン８は、第五ギアｍ５と一体的に回動しシャッター３のラック部たる第一、第二ラック部３４、３５と係合して当該シャッター３を駆動し得るピニオンギア８１を有したものである。
【００２８】
ベース１には、第一部材Ａの開口Ｇを閉塞し得るシャッター３がスライド移動可能に支持されている。シャッター３は、第一部材Ａの開口Ｇを閉塞し得る閉塞位置（Ｅ）と、第一部材Ａの開口Ｇをテープｄ１を繰り出し可能に開成し得る開成位置（Ｆ）との間で第一部材Ａの周面に沿うように移動可能に構成されている。
【００２９】
シャッター３は、外方に向けて凸をなすように湾曲した板状をなし閉塞位置（Ｅ）と開成位置（Ｆ）において常に第一部材Ａの周面を構成する前板部３１と、前板部３１に段部３２を介して連設された後板部３３と、後板部３３の内面側に片持ち状に支持されラックを構成する歯を有した第一ラック部３４と、後板部３３の後端部に延設されラックを構成する歯を有した第二ラック部３５とを備えたものである。後板部３３は、前板部３１と同様に外方に向けて凸をなすように湾曲した板状をなし前板部３１よりも第一部材Ａの中心部寄りに偏移した位置に設けられ閉塞位置（Ｅ）において開口Ｇを閉塞し得るとともに開成位置（Ｆ）において周壁２２の内面側に退避するものとなっている。
【００３０】
シャッター３は、第二部材Ｂを正回転させて行うテープｄ１の繰出操作に連動して閉塞位置（Ｅ）から開成位置（Ｆ）に位置変更され得るものとなっている。また、シャッター３は、第二部材Ｂを逆回転させることにより開成位置（Ｆ）から閉塞位置（Ｅ）に位置変更され得るものとなっている。
【００３１】
カバー２は、ベース１に着脱可能に装着されるものである。カバー２には、テープｄ１を切断するための刃Ｈが取り付けられている。カバー２は、円盤状をなす側壁２１と、側壁２１の周縁部から一体に延設され第一部材Ａにおける周面の主要部分を構成する周壁２２とを備えている。
【００３２】
側壁２１の外面側には、円柱状をなす複数の連結用突起２１ａが突設されている。複数の連結用突起２１ａは、略等間隔をなし側壁２１の中心部を円環状に囲うように配設されている。連結用突起２１ａは、図１１に示すように、主として同一構造をなす他のテープディスペンサと連結するためのものである。すなわち、連結用突起２１ａは、同一構造をなす他のテープディスペンサにおける第二部材Ｂの外面側に設けられた嵌合凹部ｂ２２に嵌合し得るようになっている。なお、図１１に示すように、連結された複数のテープディスペンサは、それぞれ連結された状態であってもテープｄ１を繰り出し得るものとなっている。
【００３３】
側壁２１の内面側には、ベース１におけるコア軸ａ３の先端部に係合し当該コア軸ａ３を補助し得る第一の補助突起２１ｂと、挟圧部材支持軸ａ６の先端部に係合し当該挟圧部材支持軸ａ６を補助し得る第二の補助突起２１ｃが突設されている。
【００３４】
周壁２２は、開口Ｇを形成する開口切欠部２２ａと、開口切欠部２２ａに隣接する位置に設けられテープｄ１の切断用の刃Ｈを保持し得る刃保持部２２ｂと、ベース１に設けられたカバー係合部ａ４の一部が嵌合し得る嵌合切欠部２２ｃと、嵌合切欠部２２ｃと側壁２１との間に設けられカバー係合部ａ４の先端に設けられた係合突起ａ４１が係合する係合凹所２２ｄとを備えている。刃保持部２２ｂの内面側には、内方に向かって挟圧部材５を押圧姿勢（Ｊ）に保持し得る片状の姿勢保持部２２ｅが突設されている。姿勢保持部２２ｅは、挟圧部材５が押圧姿勢（Ｊ）から離間姿勢（Ｋ）に回動しないように回動規制し得るものである。
【００３５】
第二部材Ｂは、第一部材Ａに対して相対回動可能に取り付けられるものである。第二部材Ｂは、第一部材Ａの一側面に添設され当該第一部材Ａと略同径をなす円盤状のものである。第二部材Ｂの中心部には第一部材Ａのベース１に設けられた連結軸ａ２が変わり合う連結孔ｂ１が形成されている。
【００３６】
第二部材Ｂは、円盤状をなし外縁に間隔を空けて複数の手指滑り止め用の凹陥部ｂ２１が形成された第二部材本体ｂ２と、第二部材本体ｂ２の内面側に軸心を一致させて一体に設けられた第一ギアｍ１とを備えている。第二部材Ｂは、使用者がテープｄ１を繰り出す際に把持されて回転される操作部を構成している。
【００３７】
第二部材本体ｂ２の外側面には、同一構造をなす他のテープディスペンサの第一部材Ａに設けられた連結用突起２１ａが嵌合する複数の嵌合凹部ｂ２２が設けられている。複数の嵌合凹部ｂ２２は、第二部材本体ｂ２の中心部を囲うように設けられている。この実施形態では、嵌合凹部ｂ２２が間隔を空けて四箇所に設けられている。各嵌合凹部ｂ２２には、同一構造をなす他のテープディスペンサに形成された隣接する二本の連結用突起２１ａが嵌合し得るようになっている。第二部材本体ｂ２の外側面には、第二部材Ｂの回転方向を示唆するための表示部ｂ２３を有している。
【００３８】
テープ引出し部Ｃは、第二部材Ｂの第一部材Ａに対する相対回動に連動させてテープｄ１を挟持しつつテープコアｄ２から引き出して外方に送り出すものである。テープ引出し部Ｃは、第二部材Ｂの第一部材Ａに対する相対回動時に第二部材Ｂの視認可能な特定部位Ｉがテープｄ１の繰り出し方向と同方向に動くように構成されている。
【００３９】
しかして、この実施形態のテープディスペンサには、第二部材Ｂの第一部材Ａに対する相対回動に連動させてテープｄ１を挟持しつつ当該テープｄ１をテープコアｄ２から引き出して外方に送り出すテープ引出し部Ｃが設けられている。
【００４０】
テープ引出し部Ｃは、第一部材Ａに設けられている。すなわち、テープ引出し部Ｃは、第二部材Ｂの第一部材Ａに対する相対回動に伴ってテープｄ１を繰り出す方向に回転し得る繰出ローラー４と、繰出ローラー４上に配されたテープｄ１を繰出ローラー４側に押し付けて当該テープｄ１を繰出ローラー４との間で挟圧し得る挟圧部材５と、繰出ローラー４の外側に配され当該繰出ローラー４と同一方向に回転し得る巻き込み防止ローラー６とを備えたものである。
【００４１】
繰出ローラー４は、円筒状をなす基部４１と、基部４１おける側板ａ１側の端部に当該基部４１と一体的に設けられベース１に配されたギアである第二ギアｍ２と噛合するギアである第三ギアｍ３と、基部４１の外周面に間隔を空けて複数配された複数のリング部材４３とを備えてなるものである。リング部材４３は、柔軟性を有した合成樹脂製のものである。繰出ローラー４は、第二部材Ｂにギア列を介して接続しており、第二部材Ｂの回転に連動して回転し得るものとなっている。
【００４２】
挟圧部材５は、基端部が挟圧部材支持軸ａ６に支持された板状をなす挟圧部材本体５１と、挟圧部材本体５１の先端部に回転可能に支持され繰出ローラー４側に向かって介在するテープｄ１を直接的に押圧する押圧ローラー５２と、挟圧部材本体５１の基端部に当該挟圧部材本体５１の延出方向の反対方向に突設された係合片５３とを備えている。挟圧部材５は、使用者の手指による直接的な操作によって、繰出ローラー４を押圧し得る押圧姿勢（Ｊ）、又は、繰出ローラー４から離間した離間姿勢（Ｋ）を採り得るものとなっている。
【００４３】
巻き込み防止ローラー６は、円筒状をなす基部６１と、基部６１おける側板ａ１側の端部に当該基部６１と一体的に設けられベース１に配された第二ギアｍ２と噛合するギアである第四ギアｍ４と、基部６１の外周面に鍔状に突設され周端縁がテープｄ１に添接し得る複数のテープ案内部６３とを備えてなる。テープ案内部６３の周端縁には、テープｄ１が添着し難いように微細な鋭角突起６３ａが並設されている。巻き込み防止ローラー６は、第二部材Ｂにギア列を介して接続しており、第二部材Ｂの回転に連動して回転し得るものとなっている。
【００４４】
続いて、テープディスペンサの作動について説明する。
【００４５】
まず、第一部材Ａのベース１に対してリフィルＤすなわち、テープｄ１を巻回させたテープコアｄ２を装着する。図６に示すように、テープコアｄ２をベース１に設けたコア軸ａ３に装着するときは、挟圧部材５の係合片５３を姿勢保持突起ａ７に係り合わせ当該挟圧部材５を離間姿勢（Ｋ）に保持しておく。
【００４６】
次に、ベース１に支持されたテープｄ１の先端を手指により外方に一定寸法引き出し、図５に示すように、離間姿勢（Ｋ）の挟圧部材５を押圧姿勢（Ｊ）に変更し、引き出したテープｄ１の一部分を繰出ローラー４及び挟圧部材５により挟持させる。挟圧部材５は、押圧姿勢（Ｊ）に姿勢変更すると係合片５３と姿勢保持突起ａ７との係わり合いによって係合片５３が弾性変形し挟圧部材５の先端部に配された押圧ローラー５２を繰出ローラー４側に付勢し得るようになっている。
【００４７】
以上の操作を経た後に、第一部材Ａのベース１に対してカバー２を装着することにより、使用前の準備作業は完了する。なお、第二部材Ｂは、あらかじめ第一部材Ａのベース１の外側面側に装着されたものとなっている。
【００４８】
続いて、テープｄ１を繰り出す操作について説明する。
【００４９】
第二部材Ｂを第一部材Ａに対して正方向に回転させると、第二部材Ｂと一体化した第一ギアｍ１と噛合する第二ギアｍ２が回転する。第二ギアｍ２と噛合する第三ギアｍ３を有した繰出ローラー４、及び、第二ギアｍ２と噛合する第四ギアｍ４を有した巻き込み防止ローラー６は第二部材Ｂの回転に連動して正方向に回転することになる。繰出ローラー４と挟圧部材５によって挟持されたテープｄ１は、駆動力を受けた繰出ローラー４の回転に連動して外部に引き出されることになる。また、巻き込み防止ローラー６は、テープｄ１が垂れ落ちてきた場合でも、正方向に回転するテープ案内部６３によって適切な方向すなわち開口Ｇ方向に誘導され、テープｄ１が内部に巻き込まれてしまうのを抑制している。
【００５０】
なお、第二部材Ｂを第一部材Ａに対して正方向に回転させると、第二ギアｍ２と噛合する第五ギアｍ５を有したピニオン８も回転する。ピニオン８は、第二部材Ｂの回転動作に連動してシャッター３を開閉動作し得るシャッター連動手段Ｌを構成している。
【００５１】
シャッター連動手段Ｌは、シャッター３に設けられたラックたる第一、第二ラック部３４、３５と、第一、第二ラック部３４、３５に噛合したピニオンギア８１を有し正逆回転することによりシャッター３を閉塞位置（Ｅ）から開成位置（Ｆ）の間で往復開閉動作させるピニオン８と、ピニオン８に一体に設けた第五ギアｍ５と噛合し第二部材Ｂの相対回動動作を伝達するギア列たる第一ギアｍ１及び第二ギアｍ２とを備えている。
【００５２】
第二部材Ｂを第一部材Ａに対して正方向に回転させると、駆動力は第一ギアｍ１、第二ギアｍ２、及び、第五ギアｍ５を介して、シャッター３に伝達され、シャッター３は閉塞位置（Ｅ）から開成位置（Ｆ）に向かって連動する。つまり、シャッター３に設けられたラックたる第一ラック部３４及び第二ラック３５は、シャッター３が閉塞位置（Ｅ）からから開成位置（Ｆ）の近傍に達するまではピニオン８のピニオンギア８１に噛合している。その後、シャッター３が開成位置（Ｆ）に達すると段部３２が周壁２２の開口切欠部２２ａに係合してシャッター３のそれ以上の移動が禁止される。このとき、片持ち的に支持されている第一ラック部３４は、第二部材Ｂに連動して回動するピニオンギア８１に押圧されて弾性変位し、第五ギアｍ５との噛合状態が一時的に解かれることになる。つまり、シャッター３が開成位置（Ｆ）まで移動した後に、使用者が第二部材Ｂをさらに正方向に回転させた場合でも、当該ピニオンギア８１はシャッター３に対して空回りし、テープｄ１の繰り出し操作を継続できるようになっている。
【００５３】
以上説明したように、本実施形態に係るテープディスペンサは、テープｄ１を巻回したテープコアｄ２を保持する第一部材Ａと、第一部材Ａに対して相対的に回動可能な第二部材Ｂと、この第二部材Ｂを第一部材Ａに対して相対回動させることでテープｄ１を外方に繰り出しさせるテープ引出し部Ｃとを備えたものである。そして、テープ引出し部Ｃは、第二部材Ｂの第一部材Ａに対する相対回動に連動させてテープｄ１を挟持しつつテープコアｄ２から引き出して外方に送り出すもので、その相対回動時に第二部材Ｂの視認可能な特定部位Ｉがテープｄ１の繰り出し方向と同方向に動くように構成されている。このため、比較的保形性の低いテープｄ１であっても快適な操作で好適に繰り出すことができるテープディスペンサを提供することができるものとなる。すなわち、テープ引出し部Ｃが、第二部材Ｂの第一部材Ａに対する相対回動に連動させてテープｄ１を挟持しつつテープコアｄ２から引き出して外方に送り出すものであるため、テープｄ１をテープコアｄ２から引き出して比較的姿勢を安定させた状態で当該テープｄ１を外部に導くことができるものとなっている。このような構成のものであれば、テープｄ１として、比較的保形性の低いセロハンテープやマスキングテープを適用したものであっても、テープｄ１を挟持するテープ引出し部Ｃによって適切に繰り出し操作を行うことができるものとなっている。
【００５４】
しかも、第二部材Ｂの回動時に当該第二部材Ｂの視認可能な特定部位Ｉ（すなわち図１において符号Ｉで示す部分）がテープｄ１の繰り出し方向と同方向に動くように構成されている。このため、使用者がテープｄ１を繰り出す操作をする際に、当該使用者は、第二部材Ｂを回転する方向と同じ方向にテープｄ１を繰り出す感覚を得ることができるため、使用者に対して快適な操作感を提供し得るものとなっている。
【００５５】
テープ引出し部Ｃは、第一部材Ａに設けられているものである。このため、第二部材Ｂを操作部としてテープｄ１を繰り出す操作をさせる設計の自由度に優れたものとなっている。つまり、第一部材Ａと第二部材Ｂの相対回転時にテープｄ１との相対移動はないため（第一部材ＡとリフィルＤの配設箇所との相対位置は変わりないため）、安定してテープｄ１を引き出すことができるものとなる。
【００５６】
第一部材Ａが、テープコアｄ２を回転可能に保持するコア軸ａ３を備えている。このため、テープｄ１を第一部材Ａから繰り出し得る好適な構成をなしているとともにリフィルＤすなわちテープｄ１を巻回したテープコアｄ２を容易に交換し得るものとなっている。
【００５７】
第一部材Ａに設けたコア軸ａ３の軸心は、第一部材Ａと第二部材Ｂの相対回転中心から偏移した位置に配されている。すなわち、テープｄ１を巻回したテープコアｄ２の回転中心が第二部材Ｂと第一部材Ａの相対回転中心からずれた位置に設けられている。このため、巻回状態が解かれたテープｄ１における先端部の余白領域（巻回した状態が解かれた領域）を比較的長く確保することができるものとなっており、第二部材Ｂに連動する機構であるテープ引出し部Ｃを備えつつもコンパクト化を実現し易いものとなっている。
【００５８】
テープ引出し部Ｃは、第二部材Ｂの第一部材Ａに対する相対回動に伴ってテープ繰り出し方向に回転する繰出ローラー４と、繰出ローラー４にテープｄ１を押し付けて挟持状態を維持する挟圧部材５とを備えたものである。このため、テープコアｄ２に巻回されたテープｄ１は、繰出ローラー４及び挟圧部材５を協働させることによりこれらに挟まれた状態で、外部に好適に繰り出され得るものとなっている。
【００５９】
テープ引出し部Ｃは、繰出ローラー４の外側に当該繰出ローラー４と同一方向に連動回転する巻き込み防止ローラー６を配したものである。このため、比較的保形性の低いテープｄ１に発生し得るテープｄ１の巻き込みを好適に抑制し得るものとなっている。
【００６０】
第一部材Ａが、円筒体状のものである。そして、第一部材Ａの一側面に当該第一部材Ａと略同径をなす円盤状の第二部材Ｂが添設されている。第一部材Ａの周面にテープｄ１を外方に繰り出すための開口Ｇが開設されている。このため、第二部材Ｂを操作部として把持した上で使用者が当該第二部材Ｂと第一部材Ａとを相対回動させやすいものとなっており、第二部材Ｂの回転方向に形成された開口Ｇを通じてテープｄ１を違和感なく外部に繰り出し得るものとなっている。
【００６１】
なお、本発明は、以上に詳述した実施形態に限られるものではない。
【００６２】
テープの種類は、種々のものを適用することができるものであり、保形性の低いものに限られるものではない。
【００６３】
第一部材や第二部材の形態は種々のものとすることができ、上述した実施形態に示されるものに限られるものではない。
【００６４】
テープ引出し部は、第二部材を第一部材に対して相対回動させることでテープを外方に繰り出しさせるものであればよく、上述した実施形態に示すものに限られるものではない。例えば、第二部材の回転を繰出ローラーの回転に伝達させるための歯車列は種々設定することが可能である。また、第二部材の回転を、ベルトを介して繰出ローラーや巻き込み防止ローラーやピニオンに伝達させるように構成したものであってもよい。
【００６５】
テープ引出し部は、第一部材に設けられているものに限られるものではなく、その一部が第二部材に設けたものとしてもよい。
【００６６】
コア軸の軸心は、第一部材と第二部材の相対回転中心から偏移した位置に配されているものでなくてもよい。つまり、コア軸の中心が第一部材と第二部材の相対回転中心と合致する位置に設けられたものであってもよい。
【００６７】
繰出ローラーや挟圧部材や巻き込み防止ローラーは、その趣旨を逸脱しない範囲で種々の形状及び構造をとり得るものである。
【００６８】
上述した実施形態では、第二部材を正回転させることによりシャッターを開く（閉塞位置から開成位置に位置変更する）ようにするとともに第二部材を逆回転させることによりシャッターを閉める（開成位置から閉塞位置に位置変更する）ようにした態様を示したが、このような構成のものには限られない。すなわち、テープディスペンサは、第二部材を逆回転させたときにはシャッターが閉じる方向に連動せず、開成位置から閉塞位置に位置変更しないように構成されたものであってもよい。
【００６９】
ここで、第二部材の逆回転に連動しないシャッターの構成は、種々の方法で実現することが可能である。例えば、シャッターのラック部に噛合するピニオンを、シャッターが開き得る方向にのみ回転できるように構成してもよい。また、他の態様としては、例えば、シャッターに設けたラック部を撓み得る構造にし、ピニオンが逆回転した場合にラック部が一時的に退避し、ピニオンが空回りし得るように構成してもよい。また、他の態様としては、ピニオンの第五ギアを遊星ギアとした遊星歯車機構を設けることにより、第二部材の逆回転時に第五ギアがシャッターの駆動に作用しない構成をとることが考えられる。
【００７０】
第二部材の逆回転にシャッターが連動しないように構成されたものであれば、仮に、繰り出したテープを刃でカットせず、そのままの状態で第二部材を逆回転させても、テープがシャッターに挟まってしまうような不具合が好適に回避されるものとなる。また、テープを巻き戻そうとして第二部材を逆回転させても、シャッターが閉方向に連動して邪魔をすることが無くなるため、テープの巻き戻し操作を行い得る設計を実現し得るものとなる。
【００７１】
その他、各部の具体的構成についても上記実施形態に限られるものではなく、本発明の趣旨を逸脱しない範囲で種々変形が可能である。
【符号の説明】
【００７２】
１…ベース
２…カバー
Ａ…第一部材
Ｂ…第二部材
Ｃ…テープ引出し部
ｄ１…テープ
Ｇ…開口
Ｉ…特定部位
【図１】
2020070112.tif 000003
【図２】
2020070112.tif 000004
【図３】
2020070112.tif 000005
【図４】
2020070112.tif 000006
【図５】
2020070112.tif 000007
【図６】
2020070112.tif 000008
【図７】
2020070112.tif 000009
【図８】
2020070112.tif 000010
【図９】
2020070112.tif 000011
【図１０】
2020070112.tif 000012
【図１１】
2020070112.tif 000013